(57)【要約】      （修正有）【課題】ハンマに安定して連結できると共に、容易に取り外せるアクセサリーツールを有するコンビネーション・ツールを提供する。【解決手段】ハンマ１００に連結するための装置は、ヘッド部１１０に取り付ける構成のアクセサリ・ツール２００と、アクセサリ・ツール２００に連結された取付部３００とを具備する。ハンマ１００はヘッド部１１０と、ハンドル部１２０と、ネック部１３０とを有し、取付部３００は、ヘッド部１１０の打撃端部１４０を受容する構成のソケット３０と、ソケット３０の両側からアクセサリ・ツール２００と反対方向に延びる２枚の対向する保持壁３１と、ハンマ１００のネック部１３０をソケット３０に対して押圧する構成の締め付け部４０とを有する。【選択図】  図３
2005001069.tif 000002
【特許請求の範囲】
【請求項１】
ハンマ１００に組み合わせられるツールであって、前記ハンマはヘッド部１１０と、ハンドル部１２０と、前記ヘッド部１１０および前記ハンドル部１２０の間のネック部１３０とを有し、前記ツールは、
前記ヘッド部１１０に取り付けるように適合されたアクセサリ・ツール２００と、
前記アクセサリ・ツール２００に連結された取付部３００と、を具備し、当該取付部は、前記アクセサリツール２００に隣接して配置され、前記ヘッド部１１０の打撃端部１４０を受容するように構成されているソケット３０と、当該ソケット３０の両側から前記アクセサリ・ツール２００の反対方向に延びた２枚の対向する保持壁３１と、前記ハンマ１００の前記ネック部１３０を前記ソケット３０の方向に押圧し、前記ソケット３０の反対側で前記保持壁３１の間に配置された締め付け部４０と、を有する、コンビネーション・ツール。
【請求項２】
前記アクセサリ・ツール２００が斧状部２０となっている、請求項１のコンビネーション・ツール。
【請求項３】
前記取付部３００はさらにクロス・ピース５０を有しており、当該クロス・ピース５０は、前記保持壁３１にまたがって配置され、前記締め付け部４０の反対側において前記ハンマ１００の前記ネック部１３０に当接し、前記保持壁３１を貫通する棒状である、請求項１のコンビネーション・ツール。
【請求項４】
前記取付部３００はさらに横断壁３２を有しており、当該横断壁は、前記ソケット３０の反対側で前記保持壁３１を相互に連結しており、前記締め付け部４０は押圧ブロック４１を有しており、当該押圧ブロック４１はプレス面４１１を有し、移動可能に横断壁３２に取り付けられ、前記保持壁３１の間で前記横断壁３２に対して接近離間移動可能であると共に、前記保持壁３１によって回転が抑制されている、請求項１のコンビネーション・ツール。
【請求項５】
前記取付部３００はさらにロックネジ４２を有しており、前記ロックネジ４２は、前記横断壁３２に貫通螺入されると共に、一端部が前記押圧ブロック４１に固定されており、前記ロックネジ４２のネジ頭部４２３は前記横断壁３２の外側に延びており、前記取付部３００はさらにコイル・バネ４３を有しており、前記コイル・バネ４３は前記ネジ頭部４２３と前記横断壁３２との間において前記ロックネジ４２を囲んでおり、前記横断壁３２は、前記コイル・バネ４３を受容するための凹部３２１を有している、請求項４のコンビネーション・ツール。
【請求項６】
前記コンビネーション・ツールはさらにホルダ６０を有しており、前記ホルダ６０は前記保持壁３１の一方に取り付けられており、当該保持壁３１は、外面３１１に形成された凹部３１４において前記ホルダ６０を受容保持する、請求項１のコンビネーション・ツール。
【発明の詳細な説明】
【０００１】
【発明の属する分野】
本発明はコンビネーション・ツールに関し、さらに詳細には、ハンマとアクセサリ・ツールの組み合わせに関する。
【０００２】
【従来の技術】
図１を参照すると、従来のコンビネーション・ツールは、ハンマ２及びアクセサリ・ツール１を含む。ハンマ２は、ヘッド部２０１と、そのヘッド部２０１に連結されたハンドル部２０２とを有する。ヘッド部２０１は、内方に延びる複数の溝２０５が外面に形成された打撃端部２０３を有し、当該打撃端部２０３の反対側に爪部２０４を有する。アクセサリ・ツール１は、打撃端部２０３に嵌合するスリーブ部１０１と、そのスリーブ部１０１に一体に連結されたツール部１０２と、複数の締め付けネジ１０３とを有し、当該締め付けネジは、各溝２０５内に延びてアクセサリ・ツール１をハンマ２に固定する。
【０００３】
前記ハンマ２の打撃端部２０３は複数の溝２０５を備えていなければならず、そのため加工がやっかいである。さらに、打撃端部２０３の側面をしっかりと押さえるために締め付けネジ１０３しか使用されていないため、ハンマ２の使用中に起こる衝撃によって、アクセサリ・ツールはハンマ２から緩みやすい。
【０００４】
【発明の概要】
そこで、本発明の目的は、前記従来技術の短所を克服するために、ハンマに安定して連結できると共に、容易に取り外せるアクセサリ・ツールを有するコンビネーション・ツールを提供することである。
【０００５】
本発明によると、ヘッド部と、ハンドル部と、これらヘッド部およびハンドル部の間のネック部とを有するハンマに組み合わせられるコンビネーション・ツールは、アクセサリ・ツールと取付部とを含む。前記アクセサリ・ツールは、前記ヘッド部に固定されるように構成されている。前記取付部は前記アクセサリ・ツールに連結されるものであり、ソケットと、２枚の対向する保持壁と、締め付け部とを有する。前記ソケットは前記アクセサリ・ツールに隣接して配置され、前記ヘッド部の打撃端部を受容するようになされている。前記保持壁はそれぞれ前記ソケットの両側から、前記アクセサリ・ツールの反対方向に延びている。前記締め付け部は、前記ハンマのネック部を前記ソケットに対して押すようになされており、前記ソケットとは反対側で前記保持壁の間に配置されている。
【０００６】
本発明の他の特徴および利点は、以下に添付図面に基づいて行う好適実施形態の詳細な説明より明らかとなるであろう。
【０００７】
【発明の実施の形態】
図２および図３を参照すると、好ましい実施例において、ハンマ１００に連結するための装置は、アクセサリ・ツール２００と、取付部３００と、ホルダ６０とを具備する。
【０００８】
ハンマ１００は打撃端部１４０を有するヘッド部１１０と、当該ヘッド部１１０に連結されているハンドル部１２０と、これらヘッド部１１０およびハンドル部１２０の間のネック部１３０とを具備する。ヘッド部１１０は二つの顎状部品１１１を有する。打撃端部１４０は、顎状部品１１１の一方と一体となっている。顎状部品１１１の他方には爪部１５０が形成されている。ハンドル部１２０は、１対のレバーハンドル１２１を有し、当該レバーハンドルは互いに枢動可能に連結され、それぞれ顎状部品１１１に連結されている。
【０００９】
アクセサリ・ツール２００は、ハンマ１００のヘッド部１１０における打撃端部１４０に取り付けられる。本実施例において、アクセサリ・ツール２００は、斧状部２０となっているが、鍬状あるいはシャベル状でもよい。
【００１０】
取付部３００は、アクセサリ・ツール２００に連結されており、ソケット３０と、２枚の対向する保持壁３１と、横断壁３２と、締め付け部４０と、ロックネジ４２と、コイル・バネ４３と、クロス・ピース５０とを具備する。ソケット３０はアクセサリ・ツール２００に隣接して配置され、ヘッド部１１０の打撃端部１４０を受容するように構成されている。２枚の保持壁３１はそれぞれソケット３０の両側から、アクセサリ・ツール２００の反対方向に延びている。横断壁３２はソケット３０の反対側で、２枚の保持壁３１を相互に連結している。保持壁３１と、横断壁３２と、ソケット３０とは協働して空間３３を形成し、ハンマ１００のヘッド部１１０がそこを貫通するようになっている。
【００１１】
締め付け部４０は、ソケット３０の反対側で保持壁３１の間に配置されており、ソケット３０に対して接近離間移動可能になっている。締め付け部４０は、押圧ブロック４１を有し、当該押圧ブロックはプレス面４１１を有し、移動可能に横断壁３２に取り付けられて、ネック部１３０における第１の面１７０をソケット３０の方向に押圧する。押圧ブロック４１は保持壁３１の間で、横断壁３２に対して接近離間移動可能であると共に、保持壁３１によって回転が抑制されている。
【００１２】
ロックネジ４２は横断壁３２に螺入されて延び、一端部が押圧ブロック４１に固定される。ロックネジ４２は、ネジ軸部４２２と、当該軸部４２２の反対側のネジ頭部４２３とを有する。軸部４２２の底端部は雌ネジ部４２２１が形成されており、当該雌ネジ部４２２１が押圧ブロック４１を貫通した雄ネジ４２１と係合することによって、ロックネジ４２は押圧ブロック４１に固定される。ネジ頭部４２３は横断壁３２の外側に延びて、六角レンチ７０を受容するための六角穴４２４を形成されている。コイル・バネ４３は、ネジ頭部４２３と横断壁３２との間においてロックネジ４２を囲んでいる。横断壁３２は、コイル・バネ４３を受容するための凹部３２１を有する。
【００１３】
クロス・ピース５０は２枚の保持壁３１にまたがって配置され、ネック部１３０における第１の面１７０と反対側の第２の面１６０に当接する。本実施例において、クロス・ピース５０は棒状であり、２枚の保持壁３１に形成された一対の整列した穴３１２を貫通する。
【００１４】
ホルダ６０は保持壁３１の一方に取り付けられ、当該保持壁３１は、外面３１１に形成された凹部３１４にてホルダ６０を受容保持する。ホルダ６０は取付プレート６２を有し、当該取付プレート６２は、凹部３１４における一対の整列した穴３１３に圧入係合することによって、凹部３１４に受容固定される。取付プレート６２に取り付けられた２つのホルダリング６１は、レンチ７０を保持する。
【００１５】
アクセサリ・ツール２００をハンマ１００に取り付けるには、まずロックネジ４２を緩め、押圧ブロック４１を横断壁３２に対して移動してから、図４に実線で示すように、ハンマ１００の爪部１５０を取付部３００の空間３３に貫通させる。次に、取付部３００を回動し、図４の仮想線で示すように、ソケット３０をハンマ１００の打撃端部１４０の下になるように配置する。その後ソケット３０を上方向に移動して、図５に示すように、ハンマ１００の打撃端部１４０を受容する。図３に戻り、ロックネジ４２を横断壁３２に固定して、ネック部１３０における第１の面１７０に対して押圧ブロック４１を移動し、押し付ける。この時、コイル・バネ４３は圧縮されて、ロックネジ４２はコイル・バネ４３の付勢作用によって強固に締められる。こうして、アクセサリ・ツール２００はハンマ１００に連結される。最後に、クロス・ピース５０が２つの穴３１２に挿入されて、ネック部１３０における第２の面１６０に当接し、アクセサリ・ツール２００とハンマ１００の間の連結を安定させる。なお、クロス・ピース５０は係止ボール５１を有し（図２参照）、当該係止ボールは保持壁３１の一方と係合してクロス・ピース５０を保持壁３１に固定させうる。
【００１６】
アクセサリ・ツール２００をハンマ１００から取り外すには、前述の取り付け手順を逆に行うだけである。すなわち、まずクロス・ピース５０を取り外し、次にロックネジ４２を緩めて押圧ブロック４１をネック部１３０における第１の面１７０から離す。その後、ソケット３０を打撃端部１４０から離して、アクセサリ・ツール２００および取付部３００を回動し、ハンマ１００のヘッド部１１０から取り外す。
【００１７】
このように、前述の説明により、本発明によるコンビネーション・ツールの好適実施例において、アクセサリ・ツール２００をハンマ１００に容易に着脱できることは明らかである。さらに、アクセサリ・ツール２００に連結して多目的機能を達成するために、ハンマ１００の構成を変更する必要がない。その上、打撃端部１４０をソケット３０に挿入させること、並びに押圧ブロック４１およびクロス・ピース５０をネック部における第１の面１７０および第２の面１６０に対して当接させること、さらには保持壁３１が保持作用を有することにより多くの位置決めポイントが形成されるため、アクセサリ・ツール２００はハンマ１００に安定して連結される。また、ロックネジ４２の押圧ブロック４１との係合によって、コンビネーション・ツールの使用中にアクセサリ・ツール２００が緩まないようにしている。
【００１８】
最も実用的かつ好ましいと考えられる実施例に関連して本発明を説明したが、本発明は、開示された実施例に限定されず、あらゆる変形や均等の構成を包含すると共に、最広義に解釈される本発明の思想と範囲内で、種々の構成を包含することを意図しているものである。
【図面の簡単な説明】
【図１】図１は、従来のコンビネーション・ツールの部分断面概略図である。
【図２】図２は、本発明によるコンビネーション・ツールの好適実施例の分解部分斜視図である。
【図３】図３は、組み立てられた状態における、好適実施例の部分断面略図である。
【図４】図４は、ハンマがアクセサリ・ツールに挿入された直後の状態を示す好適実施例の部分断面略図である。
【図５】図５は、前記ハンマが前記アクセサリ・ツールに挿入されたあとの位置固定後の状態を示す好適実施例の部分断面略図である。
【図１】
2005001069.tif 000003
【図２】
2005001069.tif 000004
【図３】
2005001069.tif 000005
【図４】
2005001069.tif 000006
【図５】
2005001069.tif 000007
【外国語明細書】
2005001069.tif 000008
2005001069.tif 000009
2005001069.tif 000010
2005001069.tif 000011
2005001069.tif 000012
2005001069.tif 000013
2005001069.tif 000014
2005001069.tif 000015
2005001069.tif 000016
2005001069.tif 000017
2005001069.tif 000018
2005001069.tif 000019
2005001069.tif 000020
2005001069.tif 000021
2005001069.tif 000022
2005001069.tif 000023
2005001069.tif 000024
2005001069.tif 000025
2005001069.tif 000026
2005001069.tif 000027
2005001069.tif 000028